(57)【要約】【課題】ドアと床面との隙間が一定でなくとも、ドアを閉じたときにその隙間を確実に閉塞することができるドア用隙間開閉装置を提供することにある。【解決手段】移動軸１６には係合ピン２５が設けられ、連動部材２２には係合ピンが当接する傾斜面２４ａを有するとともに係合ピンが傾斜面から離れる方向に移動可能な幅寸法を有する開口部２４が形成されている。閉塞部材２７は、係合ピンが連動部材の傾斜面の下端から上端に移動する範囲で下降可能であり、係合ピンが傾斜面の中途部に当接した下降位置で閉塞部材がドアの下端と床面との隙間を閉塞した状態では、移動軸は係合ピンが傾斜面から離れる方向にばね２１の付勢力に抗して軸方向に移動可能である。【選択図】図４
2007016552.tif 000002
【特許請求の範囲】
【請求項１】
ドアの幅方向一側が取り付け枠に蝶番によって回動可能に連結され、このドアを閉じたときにドアの下端と床面との隙間を閉塞するドア用隙間閉塞装置であって、
上記ドアの下端部に幅方向に沿って移動可能に設けられた移動軸と、
この移動軸を一端部が上記ドアの上記蝶番によって上記取り付け枠に連結された幅方向一側面から突出する方向に弾性的に付勢したばねと、
上記移動軸に上下方向に移動可能に設けられた連動部材と、
この連動部材の下端に取り付けられ上記ドアを閉じて上記移動軸が一端部を上記取り付け枠の内面に押圧されて上記ばねの付勢力に抗して軸方向に移動すると、上記連動部材とともに下降して上記ドアの下端と床面との隙間を閉塞する閉塞部材とを具備し、
上記移動軸には係合ピンが設けられ、上記連動部材には上記係合ピンが当接する傾斜面を有するとともに上記係合ピンが傾斜面から離れる方向に移動可能な幅方寸法を有する開口部が形成されていて、
上記閉塞部材は、上記係合ピンが上記連動部材の傾斜面の下端から上端に移動する範囲で下降可能であり、上記係合ピンが上記傾斜面の中途部に当接した下降位置で上記閉塞部材が上記ドアの下端と床面との隙間を閉塞した状態では、上記係合ピンが上記傾斜面から離れる方向に上記移動軸が上記ばねの付勢力に抗して軸方向に移動可能であることを特徴とするドア用隙間閉塞装置。
【請求項２】
上記ドアの下端部には収納溝が形成され、この収納溝には下面が開放したケースが幅方向全長にわたって設けられ、
上記ケース内には、上記移動軸の少なくとも軸方向の一端部と他端部とをそれぞれ移動可能に支持した軸受体が設けられ、軸方向一端に位置する軸受体には上記移動軸の一端部が上記ドアの幅方向一側面から突出する方向に付勢する上記ばねを収容する収容部が形成されていることを特徴とする請求項１記載のドア用隙間閉塞装置。
【発明の詳細な説明】
【技術分野】
【０００１】
この発明はドアを閉じたときに、ドアの下端と床面との間の隙間を閉塞するドア用隙間閉塞装置に関する。
【背景技術】
【０００２】
住宅などの部屋と部屋とを隔別する壁面にはドアの取り付け枠が設けられ、この取り付け枠にはドアが開閉可能に取り付けられている。すなわち、ドアの幅方向一側面にはヒンジの一端が連結され、このヒンジの他端を上記取り付け枠に連結することで、上記取り付け枠に上記ドアが開閉可能に設けられている。
【０００３】
取り付け枠にドアを開閉可能に設けると、構造上、ドアの下端と床面との間に隙間が生じることが避けられない。そのため、冬季は隙間風が入り込んだり、暖気が外部に逃げるということがある。また、夏季は冷房した空気が外部に逃げたり、外部の暖かな空気が入り込むなどのことがあり、冷暖房効率の低下を招く。そればかりか、ドアと床面との隙間から室内の音や光が外部に漏れるということもあり、その点でも好ましくない。
【０００４】
そこで、ドアの下端に、ドアが閉じられたときにはドアの下端と床面との隙間を閉塞し、ドアを開けるときには上昇位置にあってドアの開閉の邪魔にならないよう、下端に閉塞部材を設けたドアが開発されている。このような先行技術は特許文献１に示されている。
【０００５】
特許文献１には３つの構造が示されており、その１つはドアのノブに連動するノブ連動片を有し、ドアを開ける際にノブを操作するとノブ連動片が上昇し、ローラ押圧片がばねの復元力で水平方向に移動する。それによって、ドアが閉じられていたときに隙間を閉塞した閉塞部材が他のばねの復元力によって床面から上昇する。
【０００６】
ドアを閉じれば、ノブ連動片によってローラ押圧片がばねの復元力に抗して水平方向に移動し、閉塞部材に設けられたローラを押圧してこの閉塞部材を下降させる。それによって、ドアの下端と床面との隙間が閉塞される。上記閉塞部材の上昇位置と下降位置は、上記ローラ押圧片に形成された段部の高さによって決定される。
【０００７】
２番目の構造は、ドアの下端部には、ドアの回転中心となる一側面から摺動棒が一端部を突出させて移動可能に設けられている。ドアを閉じると、上記摺動棒が押圧されてばねの復元力に抗して移動する。
【０００８】
それによって、摺動棒に一端が枢着された連結具が中途部を支点として回動し、この連結具の他端に枢支された閉塞部材が下降してドアの下端と床面との隙間を閉塞する。ドアをあければ、上記摺動棒がばねの復元力によって移動して上記連結具が逆方向に回動するから、上記閉塞部材が上昇してドアの開操作に支障をきたすことがないようになっている。上記閉塞部材の上昇位置と下降位置は、摺動棒の移動量と、その移動量に応じた上記連結具の回動角度によって決定される。
【０００９】
３番目の構造は、ドアの下端部にはドアの開閉に応じて移動する摺動片が設けられている。この摺動片はばねによって一端部がドアの回動中心となる幅方向一端から突出している。摺動片にはピンが設けられ、このピンは閉塞部材に連結された支持片に形成された傾斜溝に係合している。
【００１０】
それによって、ドアを閉じて摺動片がばねの復元力に抗してドアの幅方向に移動すると、上記ピンが上記傾斜溝の下端から上端へ移動するから、閉塞部材が下降してドアの下端と床面との隙間を閉塞する。
【００１１】
ドアをあけて摺動部材がばねの復元力によって移動すると、上記ピンが上記傾斜溝の上端から下端へ移動するから、上記閉塞部材が上昇してドアの開操作の邪魔にならないようになっている。上記閉塞部材の上昇位置と下降位置は、摺動部材の移動量と、傾斜溝の傾斜角度によって決定される。
【特許文献１】実開昭６３−７６１９４号公報
【発明の開示】
【発明が解決しようとする課題】
【００１２】
しかしながら、特許文献１に記載された３つの構造によると、いずれの構造であっても、閉塞部材の上昇位置と下降位置の高さは一定に設定されている。たとえば、第１の構造では、ノブの操作に水平方向に移動するローラ押圧片に形成された段部の高さによって決定される。
【００１３】
第２の構造では、連動棒の水平方向の移動量と、その移動量に応じて回動する連結具の回動角度によって閉塞部材の上昇位置と下降位置とが決定される。  
第３の構造では、摺動片の水平方向の移動量と、その移動量に応じて摺動片に設けられたピンが摺動する支持片に形成された傾斜溝の傾斜角度によって決定される。
【００１４】
したがって、特許文献１に示された３つの構造は、いずれの場合であっても、ドアの下端と床面との隙間に応じて閉塞部材の上下方向の移動量が設定されることになるから、実際の隙間が設定された隙間よりも大きな場合にはドアを閉じても隙間が閉塞されないということがあったり、小さな場合にはドアを全閉する前に閉塞部材が床面に強く当たり、その状態で閉塞部材が上昇不能な状態となるから、ドアを確実に閉めることができないなどのことが生じる。
【００１５】
そのため、ドアの下端と床面の隙間が異なる場合には、ドアの開閉にともなって閉塞部材がその隙間に応じた距離で移動するよう設計し直さなければならないということになるから、汎用性に乏しく、使い勝手が悪いということがある。
【００１６】
この発明は、ドアの下端と床面との隙間が異なったり、ばらつきがあったりしても、ドアの開閉に応じてその隙間を閉塞部材によって確実に閉塞することができるようにしたドア用隙間閉塞装置を提供することにある。
【課題を解決するための手段】
【００１７】
この発明は、ドアの幅方向一側が取り付け枠に蝶番によって回動可能に連結され、このドアを閉じたときにドアの下端と床面との隙間を閉塞するドア用隙間閉塞装置であって、
上記ドアの下端部に幅方向に沿って移動可能に設けられた移動軸と、
この移動軸を一端部が上記ドアの上記蝶番によって上記取り付け枠に連結された幅方向一側面から突出する方向に弾性的に付勢したばねと、
上記移動軸に上下方向に移動可能に設けられた連動部材と、
この連動部材の下端に取り付けられ上記ドアを閉じて上記移動軸が一端部を上記取り付け枠の内面に押圧されて上記ばねの付勢力に抗して軸方向に移動すると、上記連動部材とともに下降して上記ドアの下端と床面との隙間を閉塞する閉塞部材とを具備し、
上記移動軸には係合ピンが設けられ、上記連動部材には上記係合ピンが当接する傾斜面を有するとともに上記係合ピンが傾斜面から離れる方向に移動可能な幅方寸法を有する開口部が形成されていて、
上記閉塞部材は、上記係合ピンが上記連動部材の傾斜面の下端から上端に移動する範囲で下降可能であり、上記係合ピンが上記傾斜面の中途部に当接した下降位置で上記閉塞部材が上記ドアの下端と床面との隙間を閉塞した状態では、上記係合ピンが上記傾斜面から離れる方向に上記移動軸が上記ばねの付勢力に抗して軸方向に移動可能であることを特徴とするドア用隙間閉塞装置にある。
【００１８】
上記ドアの下端部には収納溝が形成され、この収納溝には下面が開放したケースが幅方向全長にわたって設けられ、
上記ケース内には、上記移動軸の少なくとも軸方向の一端部と他端部とをそれぞれ移動可能に支持した軸受体が設けられ、軸方向一端に位置する軸受体には上記移動軸の一端部が上記ドアの幅方向一側面から突出する方向に付勢する上記ばねを収容する収容部が形成されていることが好ましい。
【発明の効果】
【００１９】
この発明によれば、ドアが全閉になる前に閉塞部材が床面に当たっても、さらにドアを閉じることで移動軸が軸方向に移動できる構造であるから、ドアの下端と床面との隙間が異なる場合であっても、その隙間を閉塞部材によって確実に閉塞することが可能となる。
【発明を実施するための最良の形態】
【００２０】
以下、この発明の一実施の形態を図面を参照して説明する。  
図１はドア１の取り付け構造を示しており、このドア１は家屋の壁面２に形成された開口部３に嵌め込まれた取り付け枠４に幅方向一端が上下一対の蝶番５によって取り付けられている。上記ドア１にはノブ６が設けられ、このノブ６によって上記ドア１を開閉できるようになっている。
【００２１】
図２ないし図４に示すように、上記ドア１の下端部には、その下端面及び幅方向両側面に開放した収納溝７が幅方向全長にわたって形成されている。この収納溝７にはドア用隙間閉塞装置８が設けられている。
【００２２】
上記ドア用隙間閉塞装置８はケース１１を有する。このケース１１は下端面が開放した箱型状に形成されているとともに、下端の幅方向両側には外方に向かってフランジ１３が折曲形成されている。そして、ケース１１は上記ドア１の収納溝７に装着され、上記フランジ１３が上記ドア１の下端面にねじ止め固定されている。
【００２３】
図２に示すように、上記ケース１１の長手方向両端部及び中途部にはそれぞれ合成樹脂などによって矩形板状に形成された軸受体１４が上記ケース１１にねじなどによって一体的に固定されている。これら軸受体１４には軸受孔１５（図４に１つの軸受体１４だけを示す）が形成され、これらの軸受孔１５には移動軸１６が移動可能に支持されている。つまり、移動軸１６はドア１の幅方向に沿って移動可能となっている。
【００２４】
図４に示すように、３つの軸受体１４のうち、上記ドア１の取り付け枠４に蝶番５によって回動可能に連結された、ドア１の回転中心となる幅方向一端側に位置する軸受体１４には上記軸受孔１５に連通する収容部１７が形成されている。上記移動軸１６の一端部は上記収容部１７を通って上記ケース１１の長手方向一端面に形成された通孔１８から外部に突出している。
【００２５】
なお、移動軸１６を３つの軸受体１４によって移動可能に支持したが、一対の軸受体１４によって軸方向の両端部だけを移動可能に支持するようにしてもよい。
【００２６】
上記移動軸１６の上記収容部１７内に位置する一端部には、この移動軸１６と一体的に鍔１９が設けられている。この鍔１９と収容部１７の一端面との間にばね２１が圧縮状態で装着されている。それによって、上記移動軸１６は上記ばね２１の復元力によって軸方向の一端部が上記ケース１１の通孔１８から外部へ突出する方向に弾性的に付勢されている。
【００２７】
上記ケース１１内の、上記移動軸１６の軸方向両端部に対応する位置には、それぞれ合成樹脂によって矩形板状に形成された連動部材２２が上下方向に移動可能に収容されている。この連動部材２２には、図３に示すように上記移動軸１６が挿入される挿入溝２３がその上面及び両側面に開放して形成されている。
【００２８】
なお、一対の連動部材２２は、その一端面を移動軸１６の両端部を支持した一対の軸受体１４の一端面に接近して設けられている。それによって、移動軸１６が軸方向にずれ動くのが制限されている。
【００２９】
上記連動部材２２には上記挿入溝２３によって分けられた２つの側壁にそれぞれ厚さ方向に貫通した開口部２４が形成されている。この開口部２４は四角形状、この実施の形態では台形状に形成されていて、その４つの内面のうちの１つが傾斜面２４ａに形成されている。上記移動軸１６の上記一対の連動部材２２の挿入溝２３に挿入された両端部にはそれぞれ周方向に１８０度ずれた位置に一対の係合ピン２５が突設されている。一対の係合ピン２５は上記連動部材２２の左右一対の開口部２４内に位置している。
【００３０】
一対の連動部材２２は図２に示すようにそれらの傾斜面２４ａを同方向に向けて上記移動軸１６に装着されている。図３と図４に示すように、これら一対の連動部材２２の下端には帯板状の取り付け金具２６の長手方向両端部がねじ止め固定されていて、この取り付け金具２６の下端部にはゴムなどの弾性材料によって帯状に形成された閉塞部材２７が装着されている。
【００３１】
上記移動軸１６がばね２１の復元力によって一端部がケース１１の一端面に形成された通孔１８から突出する方向に付勢された状態では、上記係合ピン２５は図５（ａ）と図６（ａ）に示すように上記開口部２４の傾斜面２４ａの下端に当接している。
【００３２】
そして、上記ドア１を閉じて上記移動軸１６の上記通孔１８から突出した一端部が上記取り付け枠４の内面によって押圧され、ばね２１の付勢力に抗して上記ケース１１内へ押し込まれる方向に移動すると、上記係合ピン２５の上記傾斜面２４ａに対する当接位置は、その傾斜面２４ａの下端から上方に向かって移動する。それに応じて上記連動部材２２は閉塞部材２７とともにドア１の下端面から突出する方向、つまり下方へ変位する。
【００３３】
つぎに、上記構成のドア用隙間閉塞装置８の動作について図５（ａ）〜（ｃ）と図６（ａ）〜（ｃ）を参照しながら説明する。この実施の形態では、閉塞部材２７の上下方向の移動距離、つまり係合ピン２５が傾斜面２４ａの下端から上端まで移動したときの垂直方向の移動距離を図５（ａ）に示すようにＹとする。また、移動軸１１の一端部をドア１が全閉になるまで取り付け枠４の内面によって押圧されたときの上記閉塞部材２７の垂直方向の移動距離が上記寸法Ｙと同じになるよう設定されている。
【００３４】
まず、図５（ａ）〜（ｃ）の場合について説明する。このケースは、図５（ａ）に示すようにドア１を開いた状態において、閉塞部材２７の下端（ドア１の下端面）と床面Ｆとの隙間が上記Ｙよりも小さな寸法Ｘの場合であって、ドア１を開いた状態では係合ピン２５が傾斜面２４ａの下端に位置している。
【００３５】
図５（ａ）の状態からドア１を閉じる方向に回転させると、移動軸１６の端部が取り付け枠４の内面によって押圧される。それによって、移動軸１６がばね２１の付勢力に抗してケース１１内へ入り込む方向へ移動する。
【００３６】
図５（ｂ）に示すように、ドア１が全閉となる前に、係合ピン２５が傾斜面２４ａの下端から中途部まで移動したとき、連動部材２２とともに下降する閉塞部材２７が床面Ｆに当たってドア１の下端面と床面Ｆとの隙間を閉塞する。
【００３７】
図５（ｂ）の状態からドア１をさらに全閉となるまで閉じると、移動軸１６が取り付け枠４の内面によってさらに押圧される。そのとき、移動軸１６は軸方向に移動するとともに、その移動によって係合ピン２５は傾斜面２４ａから離れる方向に開口部２４内を移動することになる。係合ピン２５が傾斜面２４ａから離れても、閉塞部材２７はすでに床面Ｆに当たっているから、それ以上下方へ変位することはない。
【００３８】
つまり、閉塞部材２７が下方へ変位しなくても、開口部２４の幅寸法に応じて移動軸１６に設けられた係合ピン２５が上記開口部２４内で移動可能である。そのため、ドア１が全閉となる前に、上記閉塞部材２７が床面Ｆに当たっても、さらにドア１を閉じて移動軸１６が取り付け枠４の内面に押圧されれば、この移動軸１６は移動するから、ドア１を全閉となるまで確実に閉じることができる。
【００３９】
すなわち、閉塞部材２７と床面Ｆとの隙間が閉塞部材２７が上下方向に変位可能な寸法Ｙよりも小さな寸法Ｘであるため、ドア１が全閉となる前に閉塞部材２７が床面Ｆに当たっても、ドア１を確実に全閉にすることができる。
【００４０】
図６（ａ）〜（ｃ）は、閉塞部材２７（ドア１の下端面）と床面Ｆとの隙間が閉塞部材２７の上下方向に変位可能な寸法Ｙ、つまり傾斜面２４ａの高さ寸法とほぼ同じ場合であって、図６（ａ）はドア１が開いた状態を示している。このとき、閉塞部材２７と床面Ｆとの隙間はＹである。
【００４１】
図６（ａ）に示す状態からドア１を閉じる方向に回動させると、移動軸１６の端部が取り付け枠４の内面に当たって押圧されるから、この移動軸１６がばね２１の付勢力に抗して移動する。
【００４２】
図６（ｂ）はドア１が全閉になる前の状態で、その状態では移動軸１６に設けられた係合ピン２５は開口部２４の傾斜面２４ａの高さ方向の中途部に当接している。したがって、連動部材２２の下降寸法は閉塞部材２７と床面Ｆとの隙間の寸法Ｙよりも小さいから、この状態では閉塞部材２７と床面Ｆとの隙間はまだ閉塞されていない。
【００４３】
図６（ｃ）に示すようにドア１を全閉となるまで閉じると、上記移動軸１６が取り付け枠４の内面によってさらに押圧されて移動するから、係合ピン２５は傾斜面２４ａの中途部から上端へと移動する。
【００４４】
それによって、連動部材２２は上記傾斜面２４ａの高さ寸法（垂直方向の寸法）に応じた寸法で下方へ変位することになる。傾斜面２４ａの垂直方向の寸法は、ドア１を閉じる前の閉塞部材２７と床面Ｆとの隙間の寸法Ｙとほぼ同じであるから、ドア１を全閉にすることで、上記閉塞部材２７によってドア１の下端面側に生じた隙間を確実に閉塞することができる。
【００４５】
このように、上記実施の形態のドア用隙間調整装置８によれば、閉塞部材２７によって閉塞することができる、ドア１の下面側の隙間の寸法は、閉塞部材２７が上昇位置から下降位置まで変位可能な移動寸法Ｙに応じた隙間だけに制限されず、それよりも小さな寸法の隙間であっても、確実に閉塞することができる。
【００４６】
つまり、閉塞部材２７の上下動に連動する連動部材２２に形成された台形状の開口部２４の傾斜面２４ａに係合ピン２５を当接させている。そのため、ドア１が全閉になる前に、上記係合ピン２５が上記傾斜面２４ａの高さ方向の中途部に係合している状態で閉塞部材２７が床面Ｆに当たっても、さらにドア１を閉じる方向に回動させることで、移動軸１６が押圧されれば、係合ピン２５が開口部２４内で傾斜面２４ａから離れる方向に移動するから、ドア１が全閉となるまで移動軸１６を移動させることができる。
【００４７】
したがって、ドア１の下端と床面Ｆとの隙間が閉塞部材２７の最大下降寸法Ｙよりも小さな場合であっても、その隙間をドア１を全閉にして閉塞部材２７により確実に閉塞することができる。
【００４８】
上記構成のドア用隙間閉塞装置８は、軸受体１４、ばね２１、移動軸１６及び閉塞部材２７が取り付けられた連動部材２２をケース１１内に収容してユニット化している。そのため、ケース１１をドア１の下端部に形成された収納溝７に装着するだけで、ドア１に組み込むことが可能である。つまり、上記ドア用隙間閉塞装置８をユニット化しているため、上記ドア１に対する組み込み作業を容易かつ迅速に行なうことができる。
【００４９】
上記一実施の形態では連動部材に形成される開口部の形状を台形状としたが、傾斜面を有する形状、たとえば三角形状などであってもよく、要は係合ピンが傾斜面の中途部にあって、ドアが全閉でない状態で閉塞部材が床面に当たってから、さらにドアを閉じる方向に回転させたときに、移動軸とともに係合ピンが上記傾斜面から離れる方向に移動できる形状であればよい。
【図面の簡単な説明】
【００５０】
【図１】この発明の一実施の形態を示すドアの取り付け構造の斜視図。
【図２】ドア下端部の断面図。
【図３】ドア下端部の縦方向に沿う拡大断面図。
【図４】ケースの一端部を示す拡大断面図。
【図５】ドアの下端側の隙間が連動部材の上下方向の移動距離よりも小さいときにその隙間を閉塞部材によって閉塞するときの動作説明図。
【図６】ドアの下端側の隙間が連動部材の上下方向の移動距離とほぼ同じ寸法のときにその隙間を閉塞部材によって閉塞するときの動作説明図。
【符号の説明】
【００５１】
１…ドア、４…取り付け枠、５…蝶番、１１…ケース、１４…軸受体、１６…移動軸、２１…ばね、２２…連動部材、２４ａ…傾斜面、２５…係合ピン、２７…閉塞部材。
【図１】
2007016552.tif 000003
【図２】
2007016552.tif 000004
【図３】
2007016552.tif 000005
【図４】
2007016552.tif 000006
【図５】
2007016552.tif 000007
【図６】
2007016552.tif 000008